(57)【要約】【課題】複数の無電極蛍光灯を使用する照明器具であって、照明器具の周囲温度が広い範囲で変動しても光出力を安定させることができるとともに各無電極蛍光灯間での色ずれを抑制することができる照明器具を提供する。【解決手段】照明器具は、内側に無電極蛍光灯２，２が配置された筐体４と、ガラス（透光性材料）で形成され且つ筐体４の開口部４ｂを覆う形で配置された透光パネル３とを備える。透光パネル３には、空気流入孔３１が設けられるとともに、反射部４ａにおいて空気流入孔３１とは上下方向で対向する部位に排気孔４１が設けられ、空気流入孔３１および排気孔４１が、各無電極蛍光灯２，２それぞれの投影領域以外の領域であって、且つ隣接する２つの無電極蛍光灯２，２間の熱的な相互干渉を空気流入孔３１から排気孔４１への空気の流れにより抑制可能な位置に設けられている。【選択図】図１
2010102961.tif 000002
【特許請求の範囲】
【請求項１】
透光性材料で形成され内部に放電ガスおよび水銀アマルガムが封入されるとともに内面側に蛍光体層が形成されたバルブと磁性体で形成されバルブに近接して配置されたフェライトコアとフェライトコアに巻回された誘導コイルとを有する複数の無電極蛍光灯と、各無電極蛍光灯が有する誘導コイルに高周波電流を通電する通電手段と、下側に開口部を有し前記複数の無電極蛍光灯から下方以外の方向へ出射された光を下方へ反射する反射部が内側に設けられた筐体と、透光性材料で形成され且つ筐体の前記開口部を覆う形で配置された透光パネルとを備え、透光パネルには、筐体の外側から筐体の内側へ空気を通過させるための空気流入孔が設けられるとともに、筐体および反射部の少なくとも一方において空気流入孔とは上下方向で対向する部位に筐体の内側から筐体の外側へ空気を通過させるための排気孔が設けられ、空気流入孔および排気孔は、各無電極蛍光灯それぞれの投影領域以外の領域であって、且つ無電極蛍光灯間の熱的な相互干渉を空気流入孔から排気孔への空気の流れにより抑制可能な位置に設けてなることを特徴とする照明器具。
【請求項２】
前記空気流入孔および前記排気孔に前記筐体の内部に虫が侵入するのを防止するための防虫用網が設けられてなることを特徴とする請求項１記載の照明器具。
【発明の詳細な説明】
【技術分野】
【０００１】
本発明は、照明器具に関するものである。
【背景技術】
【０００２】
従来から、バルブの内部に電極を待たず、バルブの内部に電極を有する一般の蛍光灯よりも長寿命な無電極蛍光灯が提案されている（特許文献１乃至４）。この無電極蛍光灯は、長寿命のランプを使用することが要求される高天井用照明器具やトンネル用照明器具に使用されることがある。
【０００３】
前記特許文献３，４に記載された無電極蛍光灯は、内部に放電ガスおよび水銀蒸気が封入されるとともに内面に蛍光体層が形成されたバルブと、バルブの一部に近接して配置されたフェライトコアおよびフェライトコアに巻回された誘導コイルを有し誘導コイルに高周波電流を通電するための点灯装置に接続されるカプラとを備える。そして、点灯装置から誘導コイルに高周波電流が通電されると、バルブの内部に高周波電磁界が発生してバルブの内部に封入された水銀蒸気中の水銀が励起され紫外線が発生するとともに、水銀から発せられた紫外線が蛍光体層により可視光に変換されてバルブの外方へ放射される。
【０００４】
また、前記特許文献３，４に記載された無電極蛍光灯では、バルブの内部への水銀蒸気の供給源として、ビスマス−インジウム−水銀アマルガム或いは亜鉛−水銀アマルガムが使用されている（以下、これらを単に水銀アマルガムと称す）。ここにおいて、水銀アマルガムは、水銀蒸気を通過させることができる小さな孔が穿設された金属容器に収納されており、金属容器の温度によってバルブの内部の水銀蒸気圧が設定される。従って、当該無電極蛍光灯では、バルブの周囲温度に応じてバルブの内部の水銀蒸気圧が制御されることとなり、バルブの周囲温度が広い範囲で変化しても光出力を安定させることができる。
【０００５】
ところで、無電極蛍光灯を使用した高天井用照明器具やトンネル用照明器具では、筐体の内側に配置された無電極蛍光灯からの光を下方へ出射するために、下面が開放された筐体が使用されている。そして、このような高天井用照明器具等では、無電極蛍光灯のバルブが筐体から脱落して落下するのを防止するとともに、バルブが破損した場合にバルブを構成するガラスの破片が落下するのを防止するために、筐体の前記下面側に透光パネルが配設され、密閉性の高いものとなっている。一方、高天井用照明器具では、一般に高い光出力が要求され、電力密度が高く光出力の大きい無電極蛍光灯が、複数使用されることがある。しかして、高天井用照明器具では、密閉性の高い筐体の内部に、消費電力が大きく且つ蛍光灯に比べて発熱量の大きい複数の無電極蛍光灯が配置された構造となっているので、筐体の内部が高温になり易い。また、筐体の内部において隣接して配置された複数の無電極蛍光灯同士が接近していると、隣接する無電極蛍光灯の間で熱的な相互干渉が生じ、無電極蛍光灯の周囲温度が上昇する。無電極蛍光灯の周囲温度が上昇すると、無電極蛍光灯のバルブの内部に配設された水銀アマルガムの温度も上昇し、バルブの内部の水銀蒸気圧が上昇する。バルブの内部の水銀蒸気圧が高くなりすぎると、発光効率が低下して、光出力が安定しなくなることがある。
【０００６】
これに対して、筐体の容積を大きくすることにより、筐体の内部の熱が筐体を介して放熱され易くするとともに無電極蛍光灯同士をできるだけ離間した形で配置することで、バルブの周囲温度の上昇を抑制することが考えられる。
【０００７】
ところが、高天井用照明器具やトンネル用照明器具は、取付作業時の作業性等を考慮すれば、できるだけ小型且つ軽量であることが望ましく、放熱性向上のために筐体の容積を大きくすることにより大型化すると器具本体の重量が増加し、取付作業時の作業性が低下するので好ましくない。
【０００８】
ここで、バルブの容積を小さくすることにより、バルブの容積に対する筐体の容積比を大きくすることで放熱性を向上させることにより、照明器具の大型化を避けることが考えられる。
【０００９】
ところが、バルブの容積を小さくすると、バルブの内面の面積が小さくなることにより、無電極蛍光灯の管壁負荷（無電極蛍光灯への入力電力をバルブの内面の面積で除して得られる値で定義される量）が大きくなるので、蛍光体の劣化が早くなる。従って、無電極蛍光灯において、所定の光出力を維持しつつバルブの容積を小さくするには限度がある。しかして、例えば、所定の光出力が得られる無電極蛍光灯を使用した照明器具は、同じ光出力が得られるＨＩＤランプを使用した照明器具と比較して大型にならざるを得ない。
【００１０】
そこで、図７に示すように、透光性材料で形成され内部に放電ガスおよび水銀アマルガムが封入されるとともに内面に蛍光体層が形成されたバルブ２ａ’を有する無電極蛍光灯２と、下面が開放された碗形に形成され且つバルブ２ａ’が内側に配置されるとともにバルブ２ａ’から下面側以外の方向へ出射された光を下面側へ反射する反射部４ａ’が内側に設けられた筐体４’と、透光性のガラスで形成され且つ筐体４’の下面側に配設された透光パネル３’とを備え、透光パネル３’における、無電極蛍光灯２’の投影領域の略中央部に空気流入孔３１’が穿設されるとともに、筐体４’の上端部に排気孔４１’が穿設されてなり、筐体４’の内部の熱を筐体４’の外側へ放出する照明器具が提供されている。ここにおいて、筐体４’の内部には、空気流入孔３１’から筐体４’の内側に流入し、バルブ２ａ’の側面に沿ってバルブ２ａ’の上側へ流れ、排気孔４１’から筐体４’の外側へ流出する空気の流れが生じ、この空気の流れによってバルブ２ａ’で発生した熱を筐体４’の外側へ放熱する。
【特許文献１】特開平７−２７２６８８号公報
【特許文献２】実開平６−５００６号公報
【特許文献３】特開２００１−３２５９２０号公報
【特許文献４】特開２００５−３４６９８３号公報
【発明の開示】
【発明が解決しようとする課題】
【００１１】
しかしながら、図７に示す構成の照明器具では、空気流入孔３１’から筐体４’の内側に流入し且つ排気孔４１’から筐体４’の外側へ流出する形で流れる空気が、無電極蛍光灯２’のバルブ２ａ’の一部に直接当たるので、バルブ２ａ’が局所的に冷やされ、バルブ２ａ’の最冷点の位置が移動して無電極蛍光灯２’の光特性が変化することがある。また、複数の無電極蛍光灯２’を使用した照明器具では、各無電極蛍光灯２’の周囲の空気の流れに差異があると、光特性の変化に差異が生じ、各無電極蛍光灯２’間で色ずれが生じるおそれがある。
【００１２】
本願発明は、前記事由に鑑みて為されたものであり、その目的は、複数の無電極蛍光灯を使用する照明器具であって、照明器具の周囲温度が広い範囲で変動しても光出力を安定させることができるとともに各無電極蛍光灯間での色ずれを抑制することができる照明器具を提供する。
【課題を解決するための手段】
【００１３】
請求項１の発明は、透光性材料で形成され内部に放電ガスおよび水銀アマルガムが封入されるとともに内面側に蛍光体層が形成されたバルブと磁性体で形成されバルブに近接して配置されたフェライトコアとフェライトコアに巻回された誘導コイルとを有する複数の無電極蛍光灯と、各無電極蛍光灯が有する誘導コイルに高周波電流を通電する通電手段と、下側に開口部を有し前記複数の無電極蛍光灯から下方以外の方向へ出射された光を下方へ反射する反射部が内側に設けられた筐体と、透光性材料で形成され且つ筐体の前記開口部を覆う形で配置された透光パネルとを備え、透光パネルには、筐体の外側から筐体の内側へ空気を通過させるための空気流入孔が設けられるとともに、筐体および反射部の少なくとも一方において空気流入孔とは上下方向で対向する部位に筐体の内側から筐体の外側へ空気を通過させるための排気孔が設けられ、空気流入孔および排気孔は、各無電極蛍光灯それぞれの投影領域以外の領域であって、且つ無電極蛍光灯間の熱的な相互干渉を空気流入孔から排気孔への空気の流れにより抑制可能な位置に設けてなることを特徴とする。
【００１４】
この発明によれば、空気流入孔から筐体の内側に流入し排気孔から筐体の外側へ流出する形の空気の流れを発生させることにより、筐体の内部で発生した熱を放熱し、且つ無電極蛍光灯間の熱的な相互干渉を抑制できるので、無電極蛍光灯の周囲温度の上昇を抑制することができるから、照明器具の周囲温度が広い範囲で変動しても光出力を安定させることができるとともに、筐体の内部を空気流入孔から排気孔へ流れる空気が直接無電極蛍光灯のバルブの一部に当たることがないので、筐体の内部を流れる空気がバルブの一部に当たることでバルブが局所的に冷やされてバルブの最冷点の位置が移動して各無電極蛍光灯の光特性が変化することを抑制できるから、各無電極蛍光灯間での色ずれを抑制することができる。
【００１５】
請求項２の発明は、請求項１の発明において、前記空気流入孔および前記排気孔に筐体の内部に虫が侵入するのを防止するための防虫用網が設けられてなることを特徴とする。
【００１６】
この発明によれば、前記空気流入孔および前記排気孔に、筐体の内部に虫が侵入するのを防止するための防虫用網が設けられていることにより、前記筐体の内側に設けられた前記反射部が前記筐体の内部に侵入した虫等で汚れるのを防ぐことができるので、前記反射部の汚れによる光出力の低下を抑制することができる。
【発明の効果】
【００１７】
請求項１の発明によれば、照明器具の内部に配置された無電極蛍光灯それぞれの投影領域以外の領域に、空気流入孔から流入し排気孔から流出される形で空気の流れを発生させることにより、無電極蛍光灯の周囲温度の上昇を抑制することができるので、照明器具の周囲温度が広い範囲で変動しても光出力を安定させることができるとともに、各無電極蛍光灯それぞれの光特性が変化することを抑制できるから、各無電極蛍光灯間での色ずれを抑制することができる。
【発明を実施するための最良の形態】
【００１８】
（実施形態１）
以下、本実施形態について図１乃至図３に基づいて説明する。
【００１９】
本実施形態の照明器具は、無電極蛍光灯２と、無電極蛍光灯２を点灯させるための点灯装置６とを有する２つの無電極蛍光灯装置２０と、２つの無電極蛍光灯２が内側に配置され且つ下側に開口部４ｂが形成された筐体４と、筐体４の開口部４ｂを覆う形で配置された透光パネル３とを備える。ここで、点灯装置６は、筐体４の上側に配設された点灯装置用筐体５の内側に配置されている。
【００２０】
無電極蛍光灯２は、透光性材料であるガラスで電球状に形成され内部に放電ガスが封入されるとともに内面側に蛍光体層（図示せず）が形成されたバルブ２ａと、磁性体で形成され且つバルブ２ａに近接して配置されたフェライトコア２１と、フェライトコア２１に巻回された誘導コイル２２とを備えている。ここで、フェライトコア２１および誘導コイル２２は後述のカプラ２５の一部を構成している。
【００２１】
バルブ２ａの基端部２１ａは、合成樹脂で形成された口金２３に嵌合されている。バルブ２ａの基端部２１ａには、バルブ２ａの内側に窪んだ凹部２ｂが形成されている。凹部２ｂの内側には、一端部が凹部２ｂの底部２１ｂに接続され他端部が封止された細管２ｃが設けられている。また、バルブ２ａの内面にアルミナなどから形成された保護層（図示せず）が形成されており、当該保護層上に積層される形で蛍光体層が形成されている。
【００２２】
また、細管２ｃの内側には、バルブ２ａの内部への水銀蒸気の供給源として、水銀アマルガム（図示せず）を収納した金属容器（図示せず）が配置されている。ここに、水銀アマルガムには、ビスマスとインジウムの合金からなる基体金属中に５．０％の含有率で水銀を含有したものが使用されている。また、金属容器は、鉄とニッケルとからなる合金で形成されており、水銀蒸気を通過させることができる小さな孔が穿設されている。
【００２３】
バルブ２ａの内部には、不活性ガスおよび水銀蒸気からなる放電ガスが封入されている。バルブ２ａの内部に封入される不活性ガスとしては、例えば、ネオン、アルゴン、クリプトンおよびキセノン等を使用することができる。
【００２４】
フェライトコア２１は、円筒状のシリンダ２４の一部を覆う形で配設されている。フェライトコア２１と、フェライトコア２１に巻回された誘導コイル２２と、シリンダ２４と、シリンダ２４を支持する基台部２４ａとから無電極蛍光灯２のバルブ２ａの内部に高周波電磁界を発生させるためのカプラ２５が構成されている。カプラ２５の基台部２４ａのシリンダ２４とは反対側には、放熱板２６が設けられている。
【００２５】
筐体４は、アルミニウムで形成され且つ下面に開口部４ｂを有している。また、筐体４の内面全体には、無電極蛍光灯２からの光を反射する反射部４ａが形成されている。なお、本実施形態では、筐体４の内面に反射部４ａを形成する例について説明したが、これ限定されず、例えば、筐体４の内側に、筐体４とは別部材からなる反射部４ａを設けてもよい。
【００２６】
透光パネル３は、透光性材料であるガラスで形成され、周縁部が筐体４の開口部４ｂの内周部に固着された形で筐体４に取り付けられている。
【００２７】
点灯装置６は、無電極蛍光灯２が有する誘導コイル２２に高周波電流を通電する通電手段を構成している。なお、本実施形態では、点灯装置６が、１つの誘導コイル２２に対して高周波電流を通電する例について説明したが、これに限定されるものではなく、例えば、点灯装置６が、２つの誘導コイル２２，２２に高周波電流を通電するものであってもよい。
【００２８】
点灯装置用筐体５は、鋼板で形成され且つ矩形箱状に形成されている。また、点灯装置用筐体５の側壁には、点灯装置６等から発生した熱を放熱するための放熱孔５１が穿設されている。また、点灯装置用筐体５の内部には、点灯装置６を内部に固定するための固定手段（図示せず）が配設されている。
【００２９】
ところで、本実施形態の照明器具では、透光パネル３に４つの空気流入孔３１が穿設されるとともに、内面全体に反射部４ａが形成された筐体４において、空気流入孔３１とは上下方向で対向する部位に４つの排気孔４１が穿設されている。ここで、空気流入孔３１および排気孔４１は、２つの無電極蛍光灯２，２の投影領域以外の領域に設けられるものであって、空気流入孔３１は、２つの無電極蛍光灯２，２の投影領域の間の領域を二等分し且つ無電極蛍光灯２，２の並び方向とは直交する仮想平面と透光パネル３とが交差する領域に穿設され、排気孔４１は、前記仮想平面と筐体４および反射部４ａとが交差する領域に穿設されている。ここに、空気流入孔３１および排気孔４１は、径が１０ｍｍ程度の円形状に形成されている。しかして、空気流入孔３１から流入し、排気孔４１から放出される形で空気の流れが発生する（図３（ａ）の矢印参照）。なお、本実施形態では、空気流入孔３１と排気孔４１とが円形状に形成される場合について説明するが、これに限らず、例えば、スリット形状（細長の長方形状）や楕円形状に形成されたものであってもよい。
【００３０】
従って、２つの無電極蛍光灯２，２の投影領域の間の領域に、空気流入孔３１から流入し排気孔４１から放出される形で空気の流れが生じることにより、無電極蛍光灯２，２間の熱的な相互干渉を抑制できるので、無電極蛍光灯２の周囲温度の上昇を抑制することができる。しかして、照明器具の周囲温度が広い範囲で変動しても、無電極蛍光灯２の周囲温度の上昇を抑制することにより、水銀アマルガムの温度上昇を抑制してバルブ２ａの内部の水銀蒸気圧が高くなりすぎるのを防ぐことができるので、無電極蛍光灯２の発光効率の低下を抑制して、光出力を安定させることができる。
【００３１】
ところで、筐体４の内部を流れる空気がバルブ２ａの一部に直接当たると、バルブ２ａが局所的に冷やされ、バルブ２ａの最冷点の位置が変わることで、無電極蛍光灯２の光特性が変化することがある。ここで、２つの無電極蛍光灯２の周囲の空気の流れ方に差異があり、２つのバルブ２ａにおいて筐体４の内部を流れる空気が直接当たる部位が異なると、２つの無電極蛍光灯２，２間で色ずれが生じることがある。
【００３２】
これに対して、本実施形態の照明器具では、前述のように、筐体４の内部において２つの無電極蛍光灯２，２の投影領域以外の領域に空気の流れを生じさせるので、筐体４の内部を流れる空気がバルブ２ａに直接当たることがない。従って、バルブ２ａが局所的に冷やされることによる無電極蛍光灯２の光特性の変化を抑制できるので、各無電極蛍光灯２，２間での色ずれを抑制することができる。
【００３３】
また、本実施形態の照明器具では、空気流入孔３１および排気孔４１に、筐体の内部に虫が侵入するのを防止するための、正方形格子状の網目が形成された防虫用網（図示せず）が設けられており、防虫用網の網目の一辺の寸法が０．５ｍｍ程度に設定されている。従って、筐体４の内部に虫等が侵入するのを防止することにより、筐体４の内側に設けられた反射部４ａが汚れるのを防ぐことができるので、反射部４ａの汚れによる光出力の低下を抑制することができる。なお、防虫用網の網目の形状は正方形格子状のものに限定されるものではなく、例えば、円形状や六角形状のものであってもよい。
【００３４】
（実施形態２）
本実施形態の照明器具の基本構成は、実施形態１と略同じであり、図４および図５に示すように、筐体４の内部が、２つの無電極蛍光灯２，２の間に立設された仕切壁４２によって２つの空間４２ａ，４２ａに区切られている。つまり、２つの無電極蛍光灯２，２それぞれが、２つの空間４２ａ，４２ａそれぞれの内側に配置されている。また、透光パネル３に８つの空気流入孔３１が穿設されるとともに、筐体４および反射部４ａにおいて８つの空気流入孔３１とは上下方向で対向する部位に８つの排気孔４１が穿設されている。ここで、８つの空気流入孔３１と８つの排気孔４１とは、２つの無電極蛍光灯２，２の投影領域以外の領域であって、仕切壁４２を挟んだ両側それぞれに各４つずつ穿設されている。なお、実施形態１と同様の構成要素については同一の符号を付して説明を省略する。ここで、仕切壁４２は、表面が鏡面となるように加工されたアルミニウム板等の金属板で形成されている。
【００３５】
前述のように、筐体４の内部における２つの無電極蛍光灯２，２の間が、表面が鏡面となるように加工された仕切壁４２によって仕切られていることにより、隣接する２つの無電極蛍光灯２，２のいずれか一方から出射された光が他方の無電極蛍光灯２のバルブ２ａで吸収されることを防ぐとともに、無電極蛍光灯２から出射された光が仕切壁４２で反射されるので、照明器具の始動性を向上させることができるとともに器具効率を向上させることができる。
【００３６】
また、本実施形態の照明器具は、筐体４の内部における仕切壁４２の両面それぞれに沿って空気流入孔３１から流入し排気孔４１から放出される形で空気の流れが発生する。しかして、２つの無電極蛍光灯２，２の投影領域の間の領域に、仕切壁４２が立設されているとともに、空気流入孔３１から流入し排気孔４１から放出される形で空気の流れが生じることにより、無電極蛍光灯２，２間の熱的な相互干渉を抑制できるので、無電極蛍光灯２の周囲温度の上昇を抑制することができる。
【００３７】
ここにおいて、無電極蛍光灯２それぞれの投影領域以外の領域に、空気流入孔３１から流入し排気孔４１から流出される形で空気の流れを発生させるので、筐体４の内部を流れる空気がバルブ２ａに直接当たることがない。従って、バルブ２ａが局所的に冷やされ、バルブ２ａの最冷点の位置が変わって無電極蛍光灯２の光特性が変化することを抑制できるので、各無電極蛍光灯２，２間での色ずれを抑制することができる。
【００３８】
更に、本実施形態の照明器具では、筐体４の内部に前述の仕切壁４２が立設されていることにより、２つの無電極蛍光灯２，２それぞれの間の熱的な相互干渉を抑制できる。
【００３９】
（実施形態３）
本実施形態の照明器具は、図６に示すように、筐体４の内側に４つの無電極蛍光灯２が、筐体４の中央部の周りに等間隔に配置されている。また、筐体４の内側は、隣接する無電極蛍光灯２間それぞれに立設された仕切壁４２によって４つの空間４２ａに区切られている。つまり、４つの無電極蛍光灯２それぞれが、４つの空間４２ａそれぞれの内側に配置されている。また、筐体４の内側の表面全体には、反射部４ａが形成されている。また、透光パネル３に４つの平面視形状が細長の矩形状の空気流入孔３１が穿設されるとともに、筐体４および反射部４ａにおいて４つの空気流入孔３１とは上下方向で対向する部位に４つの排気孔（図示せず）が穿設されている。ここで、４つの空気流入孔３１と４つの排気孔とは、４つの無電極蛍光灯２の投影領域以外の領域に形成され、各空気流入孔３１および各排気孔は、各仕切壁４２の両側で筐体４の内部に連通している。
【００４０】
ここにおいて、空気流入孔３１および排気孔は、各無電極蛍光灯２の投影領域以外の領域に位置しているので、筐体４の内部を空気流入孔３１から排気孔へ流れる空気がバルブ２ａに直接当たることがない。従って、無電極蛍光灯２のバルブ２ａが局所的に冷やされ、バルブ２ａの最冷点の位置が変わって無電極蛍光灯２の光特性が変化するのを抑制できるので、各無電極蛍光灯２間での色ずれを抑制することができる。
【００４１】
更に、本実施形態の照明器具では、筐体４の内部において、隣接する無電極蛍光灯２の投影領域の間の各領域に、前述の仕切壁４２が立設されるとともに、空気流入孔３１から流入し排気孔から放出される形で空気の流れが生じることにより、４つの無電極蛍光灯２それぞれの間の熱的な相互干渉を更に抑制することができる。
【００４２】
なお、前述の各実施形態では、無電極蛍光灯２を２つ使用した照明器具および４つ使用した照明器具について説明したが、これに限定されるものではなく、無電極蛍光灯２の数が複数であればよく、例えば、無電極蛍光灯２を３つまたは５つ以上使用しても実施形態１乃至３で説明した効果と同様の効果が得られる。
【図面の簡単な説明】
【００４３】
【図１】実施形態１の照明器具を示し、（ａ）は概略斜視図、（ｂ）は概略下面図である。
【図２】同上の照明器具に使用される無電極蛍光ランプの概略断面図である。
【図３】同上の照明器具を示し、（ａ）は概略側面図、（ｂ）は（ａ）におけるＡ−Ａ’で破断した概略断面図である。
【図４】実施形態２の照明器具を示し、（ａ）は概略斜視図、（ｂ）は概略下面図である。
【図５】同上の照明器具を示し、（ａ）は概略側面図、（ｂ）は（ａ）におけるＡ−Ａ’で破断した概略断面図である。
【図６】同上の他の実施例の概略下面図である。
【図７】従来例の概略斜視図である。
【符号の説明】
【００４４】
２  無電極蛍光灯
２ａ  バルブ
３  透光パネル
４  筐体
４ａ  反射部
５  点灯装置用筐体
６  点灯装置
２０  無電極蛍光灯装置
３１  空気流入孔
４１  排気孔
４２  仕切壁
【図１】
2010102961.tif 000003
【図２】
2010102961.tif 000004
【図３】
2010102961.tif 000005
【図４】
2010102961.tif 000006
【図５】
2010102961.tif 000007
【図６】
2010102961.tif 000008
【図７】
2010102961.tif 000009